(57)【要約】移動端末に表示される通知ツールによるメッセージ受信確認表示方法、メッセージ受信確認表示方法を実行させるプログラムが記録された記録媒体、及びメッセージ受信確認表示方法が実行される移動端末が開示される。移動端末が、移動端末にインストールされたメッセージプログラムの非活性化状態でメッセージプログラムを通じて受信されたメッセージ情報を移動端末の画面に表示する通知ツールを生成し、通知ツールによりメッセージの情報を確認したユーザにより入力されたメッセージ受信確認表示リクエストを入力される過程を通じて具現される。本発明によれば、ユーザは、移動端末上でメッセージプログラムを直接実行しなくても、メッセージプログラムを通じて受信されたメッセージに対するユーザの受信確認済みをメッセージ送信者に通知することができることはもとより、メッセージプログラム上での未確認メッセージの表示をユーザの別途の面倒な操作無しで消去することができる。【選択図】図３
2019502184.tif 000002
【特許請求の範囲】
【請求項１】
（ａ）移動端末が、前記移動端末にインストールされたメッセージプログラムの非活性化状態で前記メッセージプログラムを通じて受信されたメッセージ情報を前記移動端末の画面に表示する通知ツールを生成するステップと、
（ｂ）前記移動端末が、前記通知ツールによりメッセージの情報を確認したユーザにより入力されたメッセージ受信確認表示リクエストを入力されるステップと、を含む
ことを特徴とする移動端末に表示される通知ツールによるメッセージ受信確認表示方法。
【請求項２】
（ｃ）前記移動端末が、前記メッセージ受信確認表示リクエストが入力されることにより、前記メッセージプログラムにメッセージ受信確認表示コマンドを送信するステップをさらに含む
請求項１に記載の移動端末に表示される通知ツールによるメッセージ受信確認表示方法。
【請求項３】
請求項１または請求項２のいずれかに記載の方法を実行させるプログラムが記録された
ことを特徴とする記録媒体。
【請求項４】
移動端末において、
前記移動端末にインストールされたメッセージプログラムの非活性化状態で前記メッセージプログラムを通じて受信されたメッセージ情報を前記移動端末の画面に表示する通知ツールを生成する制御部と、
前記通知ツールによりメッセージ情報を確認したユーザにより入力されたメッセージ受信確認表示リクエストを入力される入力部と、を含む
ことを特徴とする移動端末。
【請求項５】
前記制御部は、前記入力部に前記メッセージ受信確認表示リクエストが入力されることにより、前記メッセージプログラムにメッセージ受信確認表示コマンドを送信する
請求項４に記載の移動端末。
【発明の詳細な説明】
【技術分野】
【０００１】
本発明は、移動端末に表示される通知ツールによるメッセージ受信確認表示方法、メッセージ受信確認表示方法を実行させるプログラムが記録された記録媒体、及びメッセージ受信確認表示方法が実行される移動端末に係り、さらに詳しくは、ユーザが、移動端末上でメッセージプログラムを直接実行しなくても、メッセージプログラムを通じて受信されたメッセージに対するユーザの受信確認済みをメッセージ送信者に通知できることはもとより、メッセージプログラム上での未確認メッセージの表示をユーザの別途の面倒な操作無しで消去できるようにする、移動端末に表示される通知ツールによるメッセージ受信確認表示方法、メッセージ受信確認表示方法を実行させるプログラムが記録された記録媒体、及びメッセージ受信確認表示方法が実行される移動端末に関する。
【背景技術】
【０００２】
図１は、従来技術によるスマートフォンなどの移動端末１０の画面のロック画面上でカカオトークやＳＭＳ、ＭＭＳなどのメッセージプログラムを通じて受信されたメッセージ情報を知らせる通知バー、通知ウィンドウ、プレビューウィンドウなどの通知ツール１５が表示された状態を示す図である。
【０００３】
図１に示すように、従来の技術によれば、ユーザは、移動端末１０の画面がロック状態になっているときでも、または移動端末１０にインストールされた他のプログラムが実行されているときでも通知ツール１５によりメッセージの新着を確認することができ、具体的にメッセージの内容をも確認することができる。
【０００４】
しかし、ユーザが図１の通知ツール１５によりメッセージの内容を確認した場合にも、ユーザが当該メッセージプログラムを直接実行及び活性化しない限り、メッセージプログラムはユーザのメッセージ受信確認状態を認識することができないという限界がある。
【０００５】
したがって、当該メッセージプログラム上にはユーザがまだ当該メッセージを受信していないと表示されて（例えば、当該プログラムのアイコン上に未読メッセージがあると表示されて）おり、このため、ユーザは、このような表示を変更するために、当該メッセージプログラム上で別の操作を行う必要があるという不便がある。
【０００６】
また、このように当該メッセージプログラムはユーザのメッセージ受信確認状態を認識できない状態になっているので、メッセージプログラムを通じて前記ユーザにメッセージを送信した他のユーザは、送信したメッセージをまだ受信者が確認していないということを認識せざるを得ない。このような状況は、メッセージプログラムのユーザに対して、場合によっては誤解及び不便を招く。
【０００７】
一方、従来技術によれば、たとえユーザが通知ツール１５によりメッセージの内容を確認した場合にも、メッセージプログラムを直接実行及び活性化した後、当該メッセージプログラムのチャットウィンドウに当該メッセージが表示されるようにしてようやくメッセージプログラムがユーザのメッセージ受信確認状態を認識することができるようになる。
【０００８】
しかし、通知ツール１５によりメッセージの内容を既に確認したユーザが、運転中または会議中に、メッセージプログラムが自分のメッセージ受信確認状態を認識できるようにするために、移動端末を用いて前述したような追加操作を直接行うということはかなりの不便を強いられかねないということになってしまう。
【０００９】
なお、移動端末１０上で他のプログラムを使用している途中で通知ツール１５によりメッセージの内容を確認したユーザは、メッセージプログラムが自分のメッセージ受信確認状態を認識できるようにするために上記の追加操作を行い、このため、移動端末１０の画面には活性化されたメッセージプログラムのチャットウィンドウなどが表示され、その結果、ユーザ自分が使用していたプログラムが隠されたり妨害されたりする虞がある。
【発明の概要】
【発明が解決しようとする課題】
【００１０】
したがって、本発明の目的は、ユーザが、移動端末上でメッセージプログラムを直接実行しなくても、メッセージプログラムを通じて受信されたメッセージに対するユーザの受信確認済みをメッセージ送信者に通知できることはもとより、メッセージプログラム上での未確認メッセージの表示をユーザの別途の面倒な操作無しで消去できるようにする、移動端末に表示される通知ツールによるメッセージ受信確認表示方法、メッセージ受信確認表示方法を実行させるプログラムが記録された記録媒体、及びメッセージ受信確認表示方法が実行される移動端末を提供することである。
【課題を解決するための手段】
【００１１】
上記目的を達成するための本発明に係る移動端末に表示される通知ツールによるメッセージ受信確認表示方法は、
【００１２】
（ａ）移動端末が、前記移動端末にインストールされたメッセージプログラムの非活性化状態で前記メッセージプログラムを通じて受信されたメッセージ情報を前記移動端末の画面に表示する通知ツールを生成するステップと、（ｂ）前記移動端末が、前記通知ツールによりメッセージの情報を確認したユーザにより入力されたメッセージ受信確認表示リクエストを入力されるステップと、を含む。
【００１３】
好ましくは、（ｃ）前記移動端末が、前記メッセージ受信確認表示リクエストが入力されることにより、前記メッセージプログラムにメッセージ受信確認表示コマンドを送信するステップをさらに含む。
【００１４】
また、（ｃ）前記移動端末が、前記メッセージ受信確認表示リクエストが入力されることにより、前記メッセージプログラムを活性化するステップをさらに含む。
【００１５】
また、前記（ｃ）ステップでは、前記移動端末が前記メッセージプログラムを活性化することにより、前記メッセージプログラムが前記メッセージに対するユーザの受信確認が完了していると判断できるようにするが、前記メッセージプログラムの活性化状態が前記移動端末の画面上に表示されることを遮断することを特徴とする。
一方、本発明に係る記録媒体は、前記方法を実行させるプログラムが記録されたことを特徴とする。
【００１６】
また一方、本発明に係る移動端末は、移動端末にインストールされたメッセージプログラムの非活性化状態で前記メッセージプログラムを通じて受信されたメッセージ情報を前記移動端末の画面に表示する通知ツールを生成する制御部と；前記通知ツールによりメッセージの情報を確認したユーザにより入力されたメッセージ受信確認表示リクエストを入力される入力部と；を備える。
【００１７】
好ましくは、前記制御部は、前記入力部に前記メッセージ受信確認表示リクエストが入力されることにより、前記メッセージプログラムにメッセージ受信確認表示コマンドを送信することを特徴とする。
また、前記制御部は、前記入力部に前記メッセージ受信確認表示リクエストが入力されることにより、メッセージプログラムを活性化することを特徴とする。
【００１８】
また、前記（ｃ）ステップでは、前記制御部が前記メッセージプログラムを活性化することにより、前記メッセージプログラムが前記メッセージに対するユーザの受信確認が完了していると判断できるようにするが、前記制御部は、前記メッセージプログラムの活性化状態が前記移動端末の画面上に表示されることを遮断することを特徴とする。
【発明の効果】
【００１９】
本発明によれば、ユーザは、移動端末上でメッセージプログラムを直接実行しなくても、メッセージプログラムを通じて受信されたメッセージに対するユーザの受信確認済みをメッセージ送信者に通知することができることはもとより、メッセージプログラム上での未確認メッセージの表示をユーザの別途の面倒な操作無しで消去することができる。
【図面の簡単な説明】
【００２０】
【図１】従来技術に係るスマートフォンなどの移動端末の画面のロック画面上でカカオトークやＳＭＳ、ＭＭＳなどのメッセージプログラムを通じて受信されたメッセージ情報を知らせる通知ツールが表示された状態を示す説明図
【図２】本発明の一実施形態に係る移動端末に表示される通知ツールによるメッセージ受信確認表示方法が実行される移動端末の構造を示す機能ブロック図
【図３】本発明の一実施形態に係る移動端末に表示される通知ツールによるメッセージ受信確認表示方法の実行過程を説明するためのフローチャート
【図４】本発明の一実施形態に係る移動端末に表示される通知ツールによるメッセージ受信確認表示方法の実行による移動端末の画面状態を示す説明図
【発明を実施するための形態】
【００２１】
以下、添付の図面を参照して本発明をより詳細に説明する。添付の図面において同一の構成要素はできる限り同一の符号で示していることに留意しなければならない。また、本発明の要旨を不要に曖昧にすると判断される公知機能及び構成に関する詳細な説明は省略する。
【００２２】
図２は、本発明の一実施形態に係る移動端末１００に表示される通知ツール１５によるメッセージ受信確認表示方法が実行される移動端末１００の構造を示す機能ブロック図である。図２を参照すると、本発明の一実施形態に係る移動端末１００に表示される通知ツール１５によるメッセージ受信確認表示方法が実行される移動端末１００は、保存部１１０、入力部１３０、制御部１５０、及び実行部１７０を含む。
【００２３】
まず、移動端末１００の保存部１１０には、カカオトークやＳＭＳ、ＭＭＳなどのメッセージプログラムをはじめとしてユーザが移動端末１００にインストールしたり、端末メーカー、通信会社などがインストールしたりした各種アプリケーションプログラムが保存されている。
【００２４】
移動端末１００の入力部１３０は、移動端末１００のディスプレイ部である画面に一体として設けられたタッチパネルである。ユーザは、入力部１３０を介して移動端末１００に対する様々な制御コマンドを入力し、具体的には、移動端末１００の画面に表示された通知バー、通知ウィンドウ、プレビューウィンドウなどの通知ツール１５によりメッセージの内容を確認したユーザは、 入力部１３０を介してメッセージ受信確認表示リクエストを入力する。
【００２５】
一方、移動端末１００の制御部１５０は、入力部１３０を介して入力されたユーザの制御コマンドに従って移動端末１００の状態及び動作を制御するもので、具体的には、移動端末１００にインストールされたメッセージプログラムの非活性化状態で、所定のメッセージが、メッセージサービスを提供する外部サーバ２００からメッセージプログラムを通じて受信された場合、受信されたメッセージの情報を移動端末１００の画面に表示する通知ツール１５を生成し、生成された通知ツール１５を移動端末１００の画面に表示する。
【００２６】
さらに、移動端末１００の実行部１７０は、制御部１５０から受信された制御コマンドに従って、保存部１１０に保存されている各種アプリケーションプログラムを実行させる。
【００２７】
図３は、本発明の一実施形態に係る移動端末１００に表示される通知ツール１５によるメッセージ受信確認表示方法の実行過程を説明するフローチャートである。以下では、図２及び図３を参照して、本発明の一実施形態に係る移動端末１００に表示される通知ツール１５によるメッセージ受信確認表示方法の実行過程を説明する。
【００２８】
まず、メッセージが、第三者からカカオトークやＳＭＳ、ＭＭＳなどのメッセージプログラムを通じて移動端末１００のユーザへ送信された場合、移動端末１００は、カカオトークやＳＭＳ、ＭＭＳなどのメッセージサービスを提供する外部サーバ２００からメッセージを受信する（Ｓ３１０）。
【００２９】
一方、移動端末１００がロック状態になっているか移動端末１００にインストールされた他のプログラムが実行されている場合、当該プログラムが実行されていない場合などのようにメッセージプログラムが非活性化状態になっている場合に、制御部１５０は、図４に示すように、移動端末１００（すなわち、移動端末１００にインストールされたメッセージプログラム）を通じて受信されたメッセージ情報を表示する通知ツール１５を生成し、それを移動端末１００ の画面上に表示する（Ｓ３３０）。
【００３０】
具体的に、制御部１５０は、通知ツール１５を移動端末１００の画面上に表示するに当たり、メッセージの具体的な内容の確認を希望するユーザがタッチ入力することができる「内容確認リクエスト」アイコン１３１を共に表示することができる。
【００３１】
この際、ユーザが「内容確認リクエスト」アイコン１３１をタッチすると、制御部１５０は、メッセージプログラムを通じて受信されたメッセージの具体的な内容を通知ツール１５にオーバーラップして表示する。
【００３２】
また、 制御部１５０は、通知ツール１５を移動端末１００の画面上に表示するに当たり、 好ましくは、「内容確認リクエスト」アイコン１３１をタッチしてメッセージの具体的な内容を確認したユーザが、メッセージ受信確認状態をメッセージ送信者の端末に表示することを希望する場合にタッチ入力することができる「受信確認表示リクエスト」アイコン１３３を共に表示する。
【００３３】
さらに、本発明を実施するに当たり、制御部１５０は、好ましくは、「内容確認リクエスト」アイコン１３１がタッチされて通知ツール１５にメッセージの具体的な内容がオーバーラップされて表示された場合に限って「受信確認表示リクエスト」アイコン１３３を活性化するので、ユーザがメッセージ内容を確認していない状態では「受信確認表示リクエスト」アイコン１３３を使用することを防止し、これによりユーザのメッセージ受信確認状態をありのままメッセージ送信者に表示できるようにする。
【００３４】
一方、本発明を実施するに当たり、制御部１５０は、移動端末１００のユーザの入力部１３０を介した個別設定により、「内容確認リクエスト」アイコン１３１と「受信確認表示リクエスト」アイコン１３３とを同時に活性化することにより、ユーザの必要に応じて「内容確認リクエスト」アイコン１３１をタッチしていない状態（すなわち、メッセージの内容を確認していない状態）になっていてもユーザが「受信確認表示リクエスト」アイコン１３３をタッチすることを可能にし、これによりユーザがメッセージの具体的な内容を確認する余裕がない場合や、具体的な内容を確認する必要がないメッセージである場合には、ユーザがメッセージの内容を確認していないにも関わらず、ユーザがメッセージを受信確認したということをメッセージ送信者に表示することができる。
【００３５】
上述したように、移動端末１００の制御部１５０が「受信確認表示リクエスト」アイコン１３３を介してメッセージ受信確認を表示するか否かの選択をユーザに要請すると（Ｓ３５０）、ユーザは、「受信確認表示リクエスト」アイコン１３３をタッチして移動端末１００の入力部１３０を介してメッセージ受信確認表示リクエストを入力する（Ｓ３７０）。それを受信した制御部１５０は、移動端末１００にインストールされたメッセージプログラムに対してメッセージ受信確認表示コマンドを送信する（Ｓ３９０）。
【００３６】
これにより、非活性化状態になっているメッセージプログラムが制御部１５０からメッセージ受信確認表示コマンドを受信すると、メッセージプログラムは、当該メッセージに対するユーザの状態情報を、ユーザの受信確認済みの状態に変更する。のみならず、メッセージプログラムは、このように変更されたメッセージ受信状態情報を外部サーバ２００に送信する（Ｓ３９５）。
【００３７】
一方、前記Ｓ３９０ステップで説明したように、メッセージプログラムが制御部１５０からのメッセージ受信確認表示コマンドに従って当該メッセージに対するユーザの状態情報を変更するためには、移動端末１００の制御部１５０からのコマンドに応じてメッセージプログラムを実行できるように、当該メッセージプログラムが関連機能を予め備えておく必要があり、このためには当該メッセージサービス提供者との事前協約が必要となる。
【００３８】
したがって、本発明を実施する際には、前記Ｓ３９０のステップを実施するに当たり、制御部１５０は、メッセージ受信確認表示コマンドをメッセージプログラムに送信することなく、その代わりに当該メッセージプログラムを活性化するために実行部１７０にメッセージプログラム実行コマンドを送信することもできる（Ｓ３９０）。
【００３９】
これにより、実行部１７０は、メッセージプログラムを実行し、当該プログラムにおけるチャットウィンドウをも活性化することにより、前記Ｓ３１０ステップで受信したメッセージ内容をチャットウィンドウに記録及び表示できるようにする。
【００４０】
このようにメッセージプログラムの実行及びチャットウィンドウの活性化が行われた場合、メッセージプログラムは、前記Ｓ３１０ステップで受信したメッセージの内容をユーザが受信確認したということを認識し、当該メッセージに対するユーザの状態情報を自動変更する。
【００４１】
但し、メッセージプログラム及びチャットウィンドウの活性化状態が移動端末１００の画面を通じてユーザに表示されるということは、移動端末１００にインストールされた他のプログラム（例えば、ナビゲーションプログラム）を使用しているユーザにとっては不要且つ不便なことなので、制御部１５０は、メッセージプログラム及びチャットウィンドウ活性化状態が移動端末１００の画面に表示されることを遮断する。
【００４２】
具体的には、制御部１５０は、メッセージプログラムの実行にもかかわらずその実行状態を移動端末１００の画面に表示しないために、メッセージプログラムの実行に伴う画面表示情報を移動端末１００のディスプレイ部に送信しないように実行部１７０を制御する。
【００４３】
すなわち、制御部１５０は、上述したようなメッセージプログラムの非公開活性化制御により本発明の目的を達成することができる。一方、メッセージプログラムは、上記のように変更されたメッセージ受信状態情報を移動端末１００を介して外部サーバ２００に送信する（Ｓ３９５）。
【００４４】
一方、メッセージの送信者に対して受信確認有無を送信するプログラムの場合、メッセージの送信者は、メッセージの受信者によるメッセージ受信確認済みを示すメッセージ受信状態情報を、外部サーバ２００から自分の携帯電話を介して受信することにより、メッセージが受信確認されたということを認識することができる。
【００４５】
加えて、本発明を実施するに当たっては、図３の各ステップを実行させるプログラムを移動端末１００の保存部１１０に別途インストールし、当該プログラムをも実行部１７０により実行させることができる。
【００４６】
本発明で使用した用語は、単に特定の実施形態を説明するために使用されたもので、本発明を限定しようとする意図ではない。単数の表現は、文脈上明らかに他に指示がない限り、複数の表現を含む。本出願では、「含む」、「備える」または「有する」などの用語は、明細書上に記載された特徴、数字、ステップ、動作、構成要素、部品またはこれらを組み合わせたものが存在することを指定しようとするのであって、一つまたはそれ以上の他の特徴や数字、ステップ、動作、構成要素、部品またはこれらを組み合わせたものの存在または付加の可能性を予め排除しない。
【００４７】
以上では本発明の好適な実施例及び応用例について図示して説明したが、本発明は、上述した特定の実施例及び応用例に限定されるものではなく、請求の範囲で請求する本発明の要旨を逸脱することなく、当該発明が属する技術分野で通常の知識を有する者によって多様な変形実施が可能なのはもちろん、このような変形実施は、本発明の技術的思想や展望から個別的に理解される。
【産業上の利用可能性】
【００４８】
本発明によると、ネットワーク通信産業分野における産業上の利用可能性が認められる。
【図１】
2019502184.tif 000003
【図２】
2019502184.tif 000004
【図３】
2019502184.tif 000005
【図４】
2019502184.tif 000006
【国際調査報告】
2019502184.tif 000007
2019502184.tif 000008
2019502184.tif 000009
2019502184.tif 000010